(57)【要約】【課題】  複数のトランク扉への補強材の接着作業を行うにあたり作業工程数を減少させることができ、さらに、トランク扉の乾燥を行う際に例えば重りにより圧力をかけて乾燥を行う必要がなくなるので作業性を向上させることができ、全体の作業時間を短縮することができるエレベータ用トランク扉接着作業装置および接着作業方法を提供する。【解決手段】  ケース１１と、このケース１１の内部に上下方向に複数段設けられ補強材１を収納可能な収納スペース１２とを有する収納棚１０が、駆動装置３０によって鉛直方向に自在に昇降する。各収納スペース１２から引き出された補強材１を受けるとともに、各トランク扉２に対して作業者が補強材１の接着を行うために用いられる補強材受け台２０が収納棚１０の近傍に設けられている。各収納スペース１２は、補強材１が接着された各トランク扉２を更に収納してこれらのトランク扉２の乾燥を行うことができるようになっている。【選択図】  図１
2007045617.tif 000002
【特許請求の範囲】
【請求項１】
複数のエレベータ用のトランク扉にそれぞれ補強材を接着させるエレベータ用トランク扉接着作業装置において、
鉛直方向に昇降自在となっており、ケースと、このケースの内部に上下方向に複数段設けられ前記補強材を収納可能な収納スペースとを有する収納棚と、
前記収納棚の近傍に設けられ、この収納棚の各収納スペースから引き出された補強材を受けるとともに、各トランク扉に対して前記補強材の接着を行うために用いられる補強材受け台と、
前記収納棚を鉛直方向上方または下方に駆動する駆動装置と、を備え、
前記収納棚の各収納スペースは、補強材が接着されたトランク扉を更に収納してこのトランク扉の乾燥を行うことができるようになっていることを特徴とするエレベータ用トランク扉接着作業装置。
【請求項２】
前記収納棚は左右一対のものとなっており、
前記駆動装置は、左右一対の滑車と、これらの左右一対の滑車に掛け渡されるとともに両端が前記の左右一対の収納棚の各ケースの上面にそれぞれ接続されたロープとを有することを特徴とする請求項１記載のエレベータ用トランク扉接着作業装置。
【請求項３】
前記駆動装置は、前記収納棚のケースの側面に取り付けられこの収納棚を鉛直方向に案内する案内機構と、この案内機構を鉛直方向上方または下方に移動させるモータとを有することを特徴とする請求項１または２記載のエレベータ用トランク扉接着作業装置。
【請求項４】
複数のエレベータ用のトランク扉にそれぞれ補強材を接着させるエレベータ用トランク扉接着作業方法において、
収納棚内部で上下方向に複数段設けられた各収納スペースに補強材をそれぞれ収納する収納工程と、
前記収納棚を鉛直方向上方または下方に移動させてこの収納棚の一の収納スペースのレベルと補強材受け台のレベルとを略同一とし、この一の収納スペース内から補強材を取り出して当該補強材受け台に載せ、トランク扉に対して当該補強材の接着を行う一の接着工程と、
一の接着工程により補強材が接着されたトランク扉を前記収納棚の一の収納スペースに収納し、この一の収納スペース内で当該トランク扉の乾燥を行う一の乾燥工程と、
一の乾燥工程により前記収納棚の一の収納スペースにおいて乾燥が行われている間に、当該収納棚を鉛直方向上方または下方に更に移動させてこの収納棚の他の収納スペースのレベルと前記補強材受け台のレベルとを略同一とし、この他の収納スペース内から補強材を取り出して前記補強材受け台に載せ、トランク扉に対して当該補強材の接着を行う他の接着工程と、
他の接着工程により補強材が接着されたトランク扉を前記収納棚の他の収納スペースに収納し、この他の収納スペース内で当該トランク扉の乾燥を行う他の乾燥工程と、
を備えたことを特徴とするエレベータ用トランク扉接着作業方法。
【発明の詳細な説明】
【技術分野】
【０００１】
本発明は、複数のエレベータ用のトランク扉にそれぞれ補強材を接着させるエレベータ用トランク扉接着作業装置および接着作業方法に関する。
【背景技術】
【０００２】
従来より、エレベータかごの内部寸法を超える長さの長尺物をエレベータにより搬送するために、エレベータかごの外方にトランクを取り付けたトランク付きエレベータが用いられている（例えば、特許文献１参照）。図４は、トランク付きエレベータの構成を概略的に示す側面図である。
このようなトランク付きエレベータにおいては、エレベータかご５の乗降口の反対側にはトランク６が付設されており、エレベータかご５とトランク６との間には例えば化粧鋼板からなるトランク扉２が設置されている。
【０００３】
このトランク扉２は通常時は閉状態とされており、エレベータかご５に乗った乗客がトランク６内に入ることができないようになっている。一方、エレベータかご５の内部寸法を超える長さの長尺物をエレベータより搬送する場合には、トランク扉２を開状態としてこの長尺物の一部分をトランク６内に入れ、この状態で長尺物の搬送を行う。
【０００４】
【特許文献１】特開２００４−２４４１８９号公報
【発明の開示】
【発明が解決しようとする課題】
【０００５】
上述のようなトランク付きエレベータに用いられるトランク扉を製造するにあたり、トランク扉に補強材を取り付ける方法としては、対象となるトランク扉に対して接着剤により補強材を接着させ、この補強材が接着されたトランク扉に対して複数の重りを載せることにより圧力をかけて乾燥を行う方法が一般的に知られている。ここで、補強材が接着されたトランク扉に対して重りにより圧力をかけることにより乾燥時間を短縮させている。
【０００６】
しかしながら、複数のトランク扉に対してそれぞれ補強材を接着させる場合には、このようなトランク扉接着作業方法では作業効率および作業性が悪く、作業時間が長くなってしまうという問題があった。
【０００７】
本発明は、このような点を考慮してなされたものであり、複数のトランク扉への補強材の接着作業を行うにあたり作業工程数を減少させることができ、さらに、トランク扉の乾燥を行う際に例えば重りにより圧力をかけて乾燥を行う必要がなくなるので作業性を向上させることができ、全体の作業時間を短縮することができるエレベータ用トランク扉接着作業装置および接着作業方法を提供することを目的とする。
【課題を解決するための手段】
【０００８】
本発明は、複数のエレベータ用のトランク扉にそれぞれ補強材を接着させるエレベータ用トランク扉接着作業装置において、鉛直方向に昇降自在となっており、ケースと、このケースの内部に上下方向に複数段設けられ前記補強材を収納可能な収納スペースとを有する収納棚と、前記収納棚の近傍に設けられ、この収納棚の各収納スペースから引き出された補強材を受けるとともに、各トランク扉に対して前記補強材の接着を行うために用いられる補強材受け台と、前記収納棚を鉛直方向上方または下方に駆動する駆動装置と、を備え、前記収納棚の各収納スペースは、補強材が接着されたトランク扉を更に収納してこのトランク扉の乾燥を行うことができるようになっていることを特徴とするエレベータ用トランク扉接着作業装置である。
【０００９】
また、本発明は、複数のエレベータ用のトランク扉にそれぞれ補強材を接着させるエレベータ用トランク扉接着作業方法において、収納棚内部で上下方向に複数段設けられた各収納スペースに補強材をそれぞれ収納する収納工程と、前記収納棚を鉛直方向上方または下方に移動させてこの収納棚の一の収納スペースのレベルと補強材受け台のレベルとを略同一とし、この一の収納スペース内から補強材を取り出して当該補強材受け台に載せ、トランク扉に対して当該補強材の接着を行う一の接着工程と、一の接着工程により補強材が接着されたトランク扉を前記収納棚の一の収納スペースに収納し、この一の収納スペース内で当該トランク扉の乾燥を行う一の乾燥工程と、一の乾燥工程により前記収納棚の一の収納スペースにおいて乾燥が行われている間に、当該収納棚を鉛直方向上方または下方に更に移動させてこの収納棚の他の収納スペースのレベルと前記補強材受け台のレベルとを略同一とし、この他の収納スペース内から補強材を取り出して前記補強材受け台に載せ、トランク扉に対して当該補強材の接着を行う他の接着工程と、他の接着工程により補強材が接着されたトランク扉を前記収納棚の他の収納スペースに収納し、この他の収納スペース内で当該トランク扉の乾燥を行う他の乾燥工程と、を備えたことを特徴とするエレベータ用トランク扉接着作業方法である。
【００１０】
このようなエレベータ用トランク扉接着作業装置および接着作業方法によれば、収納棚を鉛直方向に昇降させるだけで、収納スペースからの補強材の取り出し作業、取り出された補強材のトランク扉への接着作業および補強材が接着されたトランク扉の収納スペースへの戻し作業からなる一連の作業を繰り返し行うことができるので、作業工程数を減少させることができる。また、トランク扉に対する補強材の接着作業を行いながら、既に補強材が接着された他のトランク扉の乾燥を収納スペース内で同時に並行して行うことができ、その結果トランク扉の乾燥を行う際に例えば重りにより圧力をかけて乾燥を行う必要がなくなるので作業性を向上させることができ、全体の作業時間を短縮することができる。
【００１１】
本発明のエレベータ用トランク扉接着作業装置においては、前記収納棚は左右一対のものとなっており、前記駆動装置は、左右一対の滑車と、これらの左右一対の滑車に掛け渡されるとともに両端が前記の左右一対の収納棚の各ケースの上面にそれぞれ接続されたロープとを有することが好ましい。
このようなエレベータ用トランク扉接着作業装置によれば、一方の収納棚を鉛直方向上方または下方に移動させると、他方の収納棚は一方の収納棚と逆方向に移動する。その結果、一方の収納棚を鉛直方向に昇降させるだけで、左右一対の両方の収納棚の収納スペースからの補強材の取り出し作業、取り出された補強材の各トランク扉への接着作業および補強材が接着された各トランク扉の両方の収納棚の収納スペースへの戻し作業からなる一連の作業を繰り返し行うことができるので、作業工程数を更に減少させることができる。
【００１２】
本発明のエレベータ用トランク扉接着作業装置においては、前記駆動装置は、前記収納棚のケースの側面に取り付けられこの収納棚を鉛直方向に案内する案内機構と、この案内機構を鉛直方向上方または下方に移動させるモータとを有することが好ましい。
このようなエレベータ用トランク扉接着作業装置によれば、モータの駆動により自動的に収納棚を鉛直方向に昇降させることができ、さらに案内機構が設けられていることにより収納棚を所望の経路で案内することができる。
【発明の効果】
【００１３】
本発明のエレベータ用トランク扉接着作業装置および接着作業方法によれば、複数のトランク扉への補強材の接着作業を行うにあたり作業工程数を減少させることができる。さらに、トランク扉の乾燥を行う際に例えば重りにより圧力をかけて乾燥を行う必要がなくなるので作業性を向上させることができ、全体の作業時間を短縮することができる。
【発明を実施するための最良の形態】
【００１４】
以下、図面を参照して本発明の実施の形態について説明する。図１乃至図３は、本発明によるエレベータ用トランク扉接着作業装置の実施の形態を示す図である。
このうち図１は、本実施の形態によるエレベータ用トランク扉接着作業装置の構成を概略的に示す斜視図であり、図２は、図１のエレベータ用トランク扉接着作業装置を左方から見た側面図であり、図３は、図１のエレベータ用トランク扉接着作業装置の正面図である。
本実施の形態のエレベータ用トランク扉接着作業装置は、複数のエレベータ用のトランク扉２にそれぞれ補強材１を接着させるために用いられる。なお、補強材１は、例えば化粧鋼板からなるトランク扉２の補強を行うために使用される。
【００１５】
エレベータ用トランク扉接着作業装置は、図１乃至図３に示すように、上下方向に複数段設けられ補強材１を収納可能な収納スペース１２を有する左右一対の収納棚（養生棚）１０、１０と、この収納棚１０の各収納スペース１２から引き出された補強材１を受けるとともに、各トランク扉２に対して作業者がこの補強材１の接着を行うために用いられる１つの補強材受け台２０とを備えている。また、左右一対の収納棚１０をそれぞれ鉛直方向上方または下方に駆動する駆動装置３０が設置されている。
以下、このようなエレベータ用トランク扉接着作業装置の各構成要素について詳述する。
【００１６】
各収納棚１０は、各々鉛直方向（図１の上下方向）に昇降自在となっており、それぞれケース１１と、このケース１１の内部に設けられた複数の収納スペース１２とを有している。各収納スペース１２は、前述のように例えば１つの補強材１を収納することができるようになっており、これらの収納スペース１２は上下方向に積層するよう形成されている。
また、各収納スペース１２は、図３に示すように、補強材１が接着されたトランク扉２を収納してこのトランク扉２の乾燥を行うことができるようになっている。具体的には、各収納スペース１２の幅および奥行きの長さは、補強材１およびトランク扉２の幅および縦の長さよりもそれぞれ十分大きくなっており、各収納スペース１２の高さは、補強材１の高さとトランク扉２との高さの合計値よりも十分大きくなっている。
【００１７】
補強材受け台２０は、図１に示すように、各収納棚１０の近傍に設けられており、これらの収納棚１０の各収納スペース１２から引き出された補強材１を受けることができるようになっている。具体的には、補強材受け台２０の幅の長さは左右一対の収納棚１０、１０の幅の合計値よりも十分大きくなっており、これらの左右一対の収納棚１０、１０の両方から取り出された補強材１を同時に載置することができるようになっている。
また、この補強材受け台２０は、当該補強材受け台２０上に予め用意された各トランク扉２に対して、作業者が各収納棚１０から取り出された補強材１の接着を行うために用いられるようになっている。
【００１８】
駆動装置３０は、ほぼ同一のレベルに配置された左右一対の滑車３１、３１と、これらの左右一対の滑車３１、３１に掛け渡されたロープ３２とを有している。このロープ３２の両端３２ａ、３２ａは、左右一対の収納棚１０、１０の各ケース１１、１１の上面にそれぞれ接続されている。ここで、図２に示すように、案内機構３３は、鉛直方向に延びる案内レールに沿って図２の上下方向に移動することができるようになっている。
また、図２に示すように、収納棚１０を鉛直方向に案内する案内機構（ガイド）３３が左右一対の収納棚１０のうち一方の収納棚１０のケース１１の側面に取り付けられており、さらにこの案内機構３３を鉛直方向上方または下方に移動させるモータ３４が設置されている。
このような駆動装置３０においては、モータ３４が案内機構３３を鉛直方向上方または下方に移動させることにより、左右一対の収納棚１０、１０のうち案内機構３３が取り付けられている一方の収納棚１０も案内機構３３の動作と連動して鉛直方向上方または下方に移動し、他方の収納棚１０は一方の収納棚１０と逆方向に移動するようになる。
なお、図１に示すように、左右一対の滑車３１、３１およびロープ３２は、一方の収納棚１０のレベルと他方の収納棚１０のレベルとが略同一となったときに各収納棚１０の中間位置にある収納スペース１２のレベルと補強材受け台２０の上面のレベルとが略同一となるよう構成されている。
【００１９】
次に、このような構成からなる本実施の形態の作用について説明する。
最初に、両方の収納棚１０、１０の各収納スペース１２に、それぞれ補強材１を予め収納しておく。一方、補強材受け台２０の近傍に複数のトランク扉２を予め準備しておき、この準備されたトランク扉２をすぐに補強材受け台２０上に載置することができるようにしておく。
【００２０】
次に、駆動装置３０のモータ３４により案内機構３３を鉛直方向上方または下方に移動させ、この案内機構３３が取り付けられた収納棚１０を鉛直方向上方または下方に移動させる。ここで、案内機構３３が取り付けられた一方の収納棚１０の一の収納スペース１２、具体的には例えば最上段の収納スペース１２のレベルと補強材受け台２０の上面のレベルとを略同一とする。
そして、この最上段の収納スペース１２内から予め収納されている補強材１を取り出して補強材受け台２０上に載置する。その後、補強材受け台２０上に予め用意されたトランク扉２に対して、作業者がこの取り出された補強材１の接着を行う。
【００２１】
この際に、案内機構３３が取り付けられていない他方の収納棚１０の各収納スペース１２のうち補強材受け台２０の上面と略同一のレベルにある収納スペース１２（具体的には例えば最下段にある収納スペース１２）内からも予め収納されている補強材１を取り出して補強材受け台２０上に載置する。すなわち、左右一対の両方の収納棚１０の収納スペース１２から予め収納されている補強材１をそれぞれ取り出して、補強材受け台２０上に２つの補強材１を載置することとなる。その後、一の収納棚１０から補強材１を取り出した場合と同様に、補強材受け台２０上に予め用意されたトランク扉２に対して、作業者がこの他方の収納棚１０から取り出された補強材１の接着を行う。
【００２２】
左右一対の収納棚１０からそれぞれ補強材１を取り出してこれらの補強材１を各トランク扉２に接着させた後、この補強材１が接着されたトランク扉２を、一方の収納棚１０の最上段の収納スペース１２および他方の収納棚１０の最下段の収納スペース１２内にそれぞれ戻し、各収納スペース１２内でトランク扉２の乾燥を行う。
【００２３】
その後、一方の収納棚１０の最上段の収納スペース１２および他方の収納棚１０の最下段の収納スペース１２においてトランク扉２の乾燥が行われている間に、駆動装置３０のモータ３４により案内機構３３を鉛直方向下方にわずかに移動させ、このことにより当該案内機構３３が取り付けられた一方の収納棚１０も下方にわずかに移動させる。そして、この一方の収納棚１０のうち、前述の最上段の収納スペース１２よりも一段下の収納スペース１２のレベルと補強材受け台２０の上面のレベルとを略同一とする。この際に、他方の収納棚１０の２番目に下段にある収納スペース１２も補強材受け台２０の上面と略同一のレベルとなる。
そして、一方の収納棚１０の２番目に上段にある収納スペース１２および他方の収納棚１０の２番目に下段にある収納スペース１２から予め収納されている補強材１をそれぞれ取り出して補強材受け台２０上に載置する。その後、補強材受け台２０上に予め用意されたトランク扉２に対して、作業者がこの取り出された各補強材１の接着を行う。
【００２４】
左右一対の収納棚１０からそれぞれ補強材１を取り出してこれらの補強材１を各トランク扉２に接着させた後、この補強材１が接着されたトランク扉２を、一方の収納棚１０の２番目に上段にある収納スペース１２および他方の収納棚１０の２番目に下段にある収納スペース１２内にそれぞれ戻し、各収納スペース１２内でトランク扉２の乾燥を行う。
【００２５】
その後、同様にして駆動装置３０により各収納棚１０の収納スペース１２を一段ずつずらしながら、収納スペース１２からの補強材１の取り出し作業、取り出された補強材１のトランク扉２への接着作業および補強材１が接着されたトランク扉２の収納スペース１２への戻し作業からなる一連の作業を行う。このことにより、各収納スペース１２内に予め収納された複数の補強材１を、補強材受け台２０上に予め用意された複数のトランク扉２に１枚ずつ接着させることができる。
【００２６】
以上のように本実施の形態のエレベータ用トランク扉接着作業装置および接着作業方法によれば、ケース１１と、このケース１１の内部に上下方向に複数段設けられ補強材１を収納可能な収納スペース１２とを有する収納棚１０が、駆動装置３０によって鉛直方向に自在に昇降する。また、収納棚１０の各収納スペース１２から引き出された補強材１を受けるとともに、各トランク扉２に対して作業者が補強材１の接着を行うために用いられる補強材受け台２０が収納棚１０の近傍に設けられている。そして、収納棚１０の各収納スペース１２は、補強材１が接着された各トランク扉２を更に収納してこれらのトランク扉２の乾燥を行うことができるようになっている。
このため、収納棚１０を鉛直方向に昇降させるだけで、収納スペース１２からの補強材１の取り出し作業、取り出された補強材１のトランク扉２への接着作業および補強材１が接着されたトランク扉２の収納スペース１２への戻し作業からなる一連の作業を繰り返し行うことができるので、作業工程数を減少させることができる。また、トランク扉２に対する補強材１の接着作業を行いながら、既に補強材１が接着された他のトランク扉２の乾燥を収納スペース１２内で同時に並行して行うことができ、その結果トランク扉２の乾燥を行う際に例えば重りにより圧力をかけて乾燥を行う必要がなくなるので作業性を向上させることができ、全体の作業時間を短縮することができる。
【００２７】
また、収納棚１０は左右一対のものとなっており、駆動装置３０は、左右一対の滑車３１、３１と、これらの滑車３１、３１に掛け渡されたロープ３２を有し、ロープ３２の両端３２ａ、３２ａが左右一対の収納棚１０、１０の各ケース１１、１１の上面にそれぞれ接続されている。
このため、一方の収納棚１０を鉛直方向上方または下方に移動させると、他方の収納棚１０は一方の収納棚と逆方向に移動する。その結果、一方の収納棚１０を鉛直方向に昇降させるだけで、左右一対の両方の収納棚１０の収納スペース１２からの補強材１の取り出し作業、取り出された各補強材１の各トランク扉２への接着作業および補強材１が接着された各トランク扉２の両方の収納棚１０の収納スペース１２への戻し作業からなる一連の作業を繰り返し行うことができるので、作業工程数を更に減少させることができる。
【００２８】
また、駆動装置３０は、収納棚１０のケース１１の側面に取り付けられこの収納棚１０を鉛直方向に案内する案内機構３３と、この案内機構３３を鉛直方向上方または下方に移動させるモータ３４とを有している。このため、モータ３４の駆動により自動的に収納棚１０を鉛直方向に昇降させることができ、さらに案内機構３３が設けられていることにより収納棚１０を所望の経路で案内することができる。
【図面の簡単な説明】
【００２９】
【図１】本実施の形態によるエレベータ用トランク扉接着作業装置の構成を概略的に示す斜視図である。
【図２】図１のエレベータ用トランク扉接着作業装置を左方から見た側面図である。
【図３】図１のエレベータ用トランク扉接着作業装置の正面図である。
【図４】トランク付きエレベータの構成を概略的に示す側面図である。
【符号の説明】
【００３０】
１    補強材
２    トランク扉
５    エレベータかご
６    トランク
１０、１０  収納棚
１１  ケース
１２  収納スペース
２０  補強材受け台
３０  駆動装置
３１、３１  滑車
３２  ロープ
３３  案内機構
３４  モータ
【図１】
2007045617.tif 000003
【図２】
2007045617.tif 000004
【図３】
2007045617.tif 000005
【図４】
2007045617.tif 000006